(57)【要約】【課題】従来、種々の板バネが知られているが、アルミサッシ戸が支障なく開閉できる厚さ２〜４ｍｍの補助錠等に用いる長さ２０〜５０ｍｍ程度の薄板バネで、長期間使用しても、バネ力が低下せずに安定した反発力が維持できる板バネはなかった。【解決手段】板状のバネ材に２個の長方形状の切り込み２ａ，２ｂを設け、該切り込み２ａ、２ｂを挟んで形成される３個のバネ部３ａ，３ｂ，４のうち、内側に位置する内バネ部４を外側に位置する２個の外バネ部３ａ，３ｂより短く形成してなる板バネ１。【選択図】  図１
2004347000.tif 000002
【特許請求の範囲】
【請求項１】
板状のバネ材に２個の長方形状の切り込みを平行に設けて該２個の長方形状の切り込みの各々を挟んで形成された３個のバネ部のうち、外側に位置する２個の外バネ部の長さを内側に位置する内バネ部より長く形成してなることを特徴とする板バネ。
【請求項２】
上記内バネ部の長手方向に沿って、複数個の凹部を設けてなる請求項１記載の板バネ。
【請求項３】
板状のバネ材の形状が、長方形又は正方形である請求項１又は２記載の板バネ。
【請求項４】
請求項１〜３のいずれかに記載の板バネを用いることを特徴とするアルミサッシ用補助錠。
【請求項５】
請求項１〜３のいずれかに記載の板バネを用いることを特徴とする打掛け金具。
【発明の詳細な説明】
【０００１】
【発明の属する技術分野】
本発明は、板バネ並びにそれを用いたアルミサッシ用補助錠及び打掛け金具に関する。更に詳しくは、バネ材の一方向に沿って２本の窓状に切り込みを設けて形成された３本のバネ部の内側のバネの長さを短くしてなる板バネ及びその利用に関する。
【０００２】
【従来の技術】
従来、薄板バネと称して薄鋼板をプレス成形して適当な形状に加工したバネ作用を有する商品があるが、特定のバネではなく、一般には設計要求によってプレス加工後熱処理が行われて使用される（非特許文献１）。家電製品や小物電気製品等の電源や接続等のスライドスイッチ等に用いられる板バネも、メーカー、型番等に特有の製品であり、注文により設計加工して製造されているものが多い。
【０００３】
また、本発明者らは、先に板バネを用いたアルミサッシ用補助錠を出願した（特許文献１）。そこに用いる板バネには、平行して２個の窓状に切り込みを設け、該切り込みを挟んで形成された３個のバネ部のうち、内側に位置するバネ部の長さを延伸することによって外側の２個のバネ部より長くした板バネを用いている。また、補助錠にはスプリングバネを用いることが知られている（特許文献２）。
【０００４】
【非特許文献１】
東洋経済新聞社編集出版「新版商品大辞典」、昭和５１年６月２５日、ｐ１７２
【特許文献１】
特願２００３−０２２５９６号
【特許文献２】
特開平９−１３７６５５号
【０００５】
しかしながら、上記薄板バネの場合、一般に薄い板材を用いているのでバネ力が弱く、使用期間に伴ないバネ力が低下するものが多く、また、小物電気製品等の場合には、しばらく使っているとバネ力が低下すると共に接触不良を起し易く、１０年以上の長年月の使用には耐えられないという問題がある。
【０００６】
また、上記補助錠用の板バネは、１０年以上２０年使用しても、バネ力に変化がなく、また安定したバネ力を発揮することが望まれるもので、３個のバネ部の内側のバネ部を延伸して外側のバネ部より長くして形成されているが、延伸して薄いところが生じるために強いバネ力が得られず、また、延伸により薄厚部分のバネ力の微妙なバランスのずれが生じ、バネ力の安定性に欠ける。また、バネ力の強さを低下させないように加工上延伸部分の厚みをできるだけ平均化するには、加工に手間を要し、装置及び製造上コスト高となるという問題が生じる。
【０００７】
【発明が解決しようとする課題】
本発明は、上記の問題点を解決するもので、バネ力が強く、且つ常に所定の箇所に接触して安定したバネ力を発揮し、長年月使用してもバネ力の低下のない安定したバネ力の得られる板バネ並びに該板バネを用いたアルミサッシ用補助錠及び打掛け金具を提供することを目的とする。
【０００８】
【課題を解決するための手段】
本発明は、（１）板状のバネ材に２個の長方形状の切り込みを平行に設けて該２個の長方形状の切り込みの各々を挟んで形成された３個のバネ部のうち、外側に位置する２個の外バネ部の長さを内側に位置する内バネ部より長く形成してなることを特徴とする板バネ、（２）上記内バネ部の長手方向に沿って、複数個の凹部を設けてなる上記（１）記載の板バネ、（３）板状のバネ材の形状が、正方形又は長方形である上記（１）又は（２）記載の板バネ、（４）上記（１）〜（３）のいずれかに記載の板バネを用いることを特徴とするアルミサッシ用補助錠、及び（５）上記（１）〜（３）のいずれかに記載の板バネを用いることを特徴とする打掛け金具、を要旨とする。
【０００９】
【発明の実施の形態】
以下、実施例に基づき本発明を詳細に説明する。
図１は、バネ材にバネ用ステンレス板を用いて得られた本発明の板バネ１の１実施例を示す斜視図であり、長方形状の上記バネ材の長手方向のほぼ中央に、該長手方向に沿って、長方形状の２本の切込み２ａ、２ｂを平行に設け、該２本の切込み２ａ、２ｂの各々を挟んで３個のバネ部が形成される。該バネ部は、外バネ部３ａ、３ｂと中バネ部４とからなり、該中バネ部４には、プレス成形によって長手方向に沿って短手方向の全長を曲折した形状の３個の凹部５を形成することによって外バネ部３ａ、３ｂより短く形成した板バネ１が得られる。
【００１０】
図２には、図１の板バネ１をアルミサッシ用補助錠１０の起伏板１２の起伏に用いて該起伏板１２を起立させて使用状態とした時の斜視図を示す。また、図３は、図２の起伏板１２を外して中の構造を示す分解斜視図である。
【００１１】
図３に示すようのに、板バネ１は、基板１１に取付け部６にてネジ止め、リベット止め又は熔接により取付けられている。起伏板１２と基板１１は、該起伏板１２の裏面に取り付けた支持部材１４と基板１１に設けた掛止部１９ａ、１９ｂをもって、あおり止め１３によって遊動する状態に連結され、上記掛止部１９ａ、１９ｂには軸支されている。該あおりとめ１３は起伏する高さを規定して作動するように形成されている。
【００１２】
図３から図２のように使用状態にするには、図３の起伏板１２を基板１１側に倒し、板バネ１の先端部７を支持部材１４の差込み部１５の起伏板１２側に差込み、上記先端部７を起伏板１２に当接させる。その状態で起伏板１２を基板１１内収納し、基板１１及び起伏板１２に設けられた４個の軸止孔１７に支軸１６を挿通して両部材を取り付ける。起伏板１２を起伏させるには、該起伏板１２上の押部８を起伏する方向に押すと起立っする。また、起伏板１２の起伏側を押すと起伏板１２は倒れて基板１１内に収納される。
【００１３】
起伏板１２が起伏する時の板バネ１の挙動は、板バネ１の先端部７を支持部材１４の差込み部１５と起伏板１２の間に差込んで起伏板を基板１１内に収納し、支軸１６によって連結した時には、板バネ１の先端部８は下を向いて差込み部１５に当接した状態になっている。起伏板１２を起立させるために起伏板１２の押部８を指先で押すと起伏板１１によって板バネ１の外バネ部２ａ、２ｂが押されて板バネ１の先端部７は上向きに反った状態となり起伏板１１に当接することで起伏板１を押上げて起伏する。
【００１４】
板バネ１の使用に当たってバネ力が強く確実に働くように、図３に示す如く、板バネ１を取付けた基板１１には、外バネ部４ａ，４ｂの下面が基板１１に当接する位置に、２個のバネ支持部９ａ，９ｂを設けておくのが好ましい。該支持部９ａ，９ｂ  の位置は、外バネ部３ａ、３ｂのほぼ中央に当接する位置に設けるのが好ましく、基板１１の底面よりプレス加工によって上方に突出させて設けてもよく、また別に用意した部材を熔接又はネジ止めにより固定されてもよい。上記支持部９ａ，９ｂは、支点となって外バネ部３ａ、３ｂを押上げる力が働き、反発力の強いバネ板が得られるようになる。
【００１５】
本発明の板バネ１は、上記起伏板１２を起伏させる時に、外バネ部３ａ、３ｂが２個あることによりバネの反発力が強くなり、更に２箇所のバネ支持部９ａ，９ｂを支点としていることで、常に強力で安定した上向きのバネ力が得られ、補助錠１０の板バネ１として用いた場合に、サッシ窓を閉止する力が強く、確実にサッシ窓の閉止状態が保持できる。上記サッシ用補助錠１０のサッシ窓等への取付けは、基板１１の裏側には両面接着テープを貼付してサッシ枠等に貼着することでも十分強力に取付けられるが、ネジによって取付けを加えればより確実な強度が得られる。
【００１６】
本発明の板バネ１のバネ材には、ステンレス板、フェライトステンレス板等のバネ用ステンレス板、燐青銅板、バネ用鋼板等が用いられ、長期間にわたって使用して錆の発生の起こり難いステンレス板、バネ用ステンレス板、黄銅鋼板等が好ましい。
【００１７】
本発明の板バネ１のバネ材の形状としては、長方形状又は正方形状の四角形状が挙げられ、これらの大きさは、長方形の場合、長辺が３０〜１００ｍｍ、短辺が１０〜３０ｍｍのものが、また正方形状の場合、１辺の長さが２０〜８０ｍｍのものが用いられ、厚みは、０．３〜１．５ｍｍのものが用いられる。その他の形状としては、楕円形状、菱形形状、長六角形状等が挙げられ、上記長方形状と同じ大きさに形成される。
【００１８】
上記形状のバネ材には、長手方向及び短手方向のほぼ中央に位置して平行する２個の長方形状の切込み２ａ，２ｂが設けられる。そして該２個の切込み２ａ，２ｂの各々を挟んで３個のバネ部が形成される。３個のバネ部のうち、外側に位置する外バネ部３ａ、３ｂは、内側に位置する中バネ部４より長く形成することによって本発明の板バネ１が形成されている。
【００１９】
上記２個の長方形状の切込み２ａ，２ｂは、板バネ１を取り付ける時の取付け部６と該取付け部６の反対に位置してバネとして当接して働く先端部７を設けるために、所定のスペースを取り、バネ材の長手方向及び短手方向のほぼ中央に位置して設けるのが好ましい。２個の切込み２ａ，２ｂは、同じ大きさで、等間隔に設けられるのが好ましい。バネ材が長方形等の対向する長辺が平行に形成されている場合には、該長辺に沿って平行に設けるのが好ましく、バネ材の形状が楕円形状等の場合には、上記取付け部と先端部のスペースを取ってその形状の長手方向及び短手方向のほぼ中央の位置に来るように設けるのが好ましい。
【００２０】
また、３個のバネ部は、バネ材が長方形状の場合には、２個の切込み２ａ，２ｂを挟んで同じ巾で、同じ長さに設けられているのが好ましく、バネ材が楕円形状等の場合には、外バネ部３ａ、３ｂの巾は同じにならないが、上下の外バネ部３ａ、３ｂの巾が均等になるように設けるのが好ましい。
【００２１】
外バネ部３ａ、３ｂの長さを中バネ部４より長くするのは、バネ材のプレス成形加工によって切込み２ａ、２ｂを設け、次いで図１に示すように中バネ部４の長手方向に沿って、短手方向の全長を長手方向に直角に曲折して形成される凹部５を一定間隔で複数個設けて、中バネ部４を外バネ部３より短くすることることによって行うことができるが、また、成形加工時に外バネ部３ａ，３ｂの両方に延伸加工を施すことによって中バネ部４より長く形成することによっても板バネ１を得ることができる。
【００２２】
上記プレス成形加工時に設けられる凹部５は、中バネ部４の長手方向のほぼ全長又は中央から２〜５個の凹部５を一定間隔に分布させて設けるのが好ましい。また、上記凹部５に代えて三角形状の凹部、又は半円形状の凹部を上記同様に一定間隔で設けることによっても板バネ１が得られる。
【００２３】
上記外バネ部３ａ、３ｂを中バネ部４より長く形成した板バネ１において、中バネ部４に凹部５を設けることによって得られるバネ板１は、外バネ部３ａ、３ｂに延伸加工を施して得られるバネ板１と比較して延伸して外バネ部３ａと３ｂの間に生じる若干の伸びの差によるバネ力の偏りや、ズレを生じることがないので偏りのない安定した強力なバネ力が得られることから好ましい。
【００２４】
上記のようにして得られた板バネ１は、バネ力を高めるために熱処理を行うのが好ましい。バネ材用に熱処理済みのものは、熱処理を行わなくともよい場合もあるが、熱処理は、３００〜５００℃の温度下に１０〜３０分間加熱して行なわれる。加熱時に表面の酸化を防ぐために、窒素ガス、ヘリウムガス、アルゴンガス等の不活性ガスの存在下に熱処理を行うのが好ましい。
【００２５】
図４には、燐青銅板のバネ材を用いて得られた本発明の板バネ１の他の実施例を斜視図にて示す。図４の板バネ１は、上記バネ材のプレス成形加工時に、外バネ部３ａと３ｂの両方に延伸加工を施して中バネ部４より長く形成して得られた例であり、上記第１の実施例と同様に基板１１への取付け及び支持台９ａ、９ｂの取付けを行って、アルミサッシ用補助錠１０に使用することができる。
【００２６】
上記例の延伸して得られた外バネ部３ａ、３ｂは、同じ長さで、且つ厚みの分布も同じように延伸されているのが望ましく、長さ、厚みにバラツキがあると、バネ力に差が生じ、バランスの取れた安定なバネ力が得られない場合がある。従ってプレス加工において外バネ部３ａ、３ｂに対し、同じプレス圧力によって同条件下にて加工することが必要である。
【００２７】
上記板バネ１には、バネ力の働く方向の端部に板バネ１を取付けるための取付け部６を設けることができる。また、取付け用のネジ孔又はリベット孔を設けることもできる。上記取付け部６は、両端に設けても、また一方の端部に設けてもよい。
【００２８】
上記のようにして得られる板バネ１は、外バネ部３ａ、３ｂと該外バネ部より短い中バネ部４にして２個の支点を持つようにしたことによりバネ力が強くなり、２個のバネ部がバネ支点となっているのでバネ力が安定し、従って確実に一定したバネ力を必要として利用する用途等に適した板バネが得られる。例えば上記アルミサッシ用補助錠等の長年月一定したバネ力を必要とする起伏板１２に用いる板バネ１に適している。
【００２９】
また、上記アルミサッシ用補助錠１０は、室内のドアストッパーとしても用いることができる。従来のドアストッパーは開いたドアの外側（壁や窓等のある側）にドアの下端手前端近くに取付けた掛合用リングに、床又は壁側に取付けた掛合金具を掛けてドアを固定している。上記補助錠１０をドアの開閉側の下端の室内側の床に、該補助錠１０の起伏板１２がドア側に当接するように床に取り付けておき、起伏板１２を起立させて開いたドアが閉戸するのを止めるように用いることができる。床への取付けは、補助錠１０の基板１１裏面に貼付した両面粘着性テープ等を利用して床面に取り付けるのが好ましい。
【００３０】
上記ドアストッパーの利用において、ドアの下端には敷居が設けられていたり、また、ドア下端と床面に隙間が設けられている場合があり、それらを考慮して、ドアストッパーの起伏板１２の起立する高さを高くしておく必要がある。求められる高さに応じられるように高めの高さの製品を備えておくのが好ましい。上記ドアストッパーは、従来のように壁側に係止金具等を取付けておく必要がない利点がある。
【００３１】
次に、本発明の板バネ１を、ドア等の打掛け金具（以下、「打掛け」という。）２０の板バネ１として用いる例について説明する。図５、図６にその例を示す。図５は、使用している状態を示す斜視図であり、図６（ａ）、（ｂ）は、図５の打掛け２０の構造を説明するための透視断面図である。図６（ａ）に施錠時の状態を、図６（ｂ）に解錠時の状態を各々示す。施錠時には、図６（ａ）のように施錠ノブ２３が左に押し込まれ、解錠ノブ２４は右に突出している。この時板バネ１は、軸棒２６を軸として上端は施錠ノブ２３に連動してケース２１内を内側（左方向）に移動して、施錠状態となる。解錠時には上記解錠ノブ２４が支持板２５を押し、更に板バネ１を押してバネを反転させて施錠ノブ２３をケース２２の外側（右方向）に突出させ、それに伴ない解錠ノブ２４はケース２０内に押しこまれて解錠状態になる。
【００３２】
上記打掛け２０の構造及び板バネ１の挙動について図６（ａ）及び６（ｂ）を用いて説明する。板バネ１の施錠ノブ２３側先端には該ノブ２３の軸が自由に動きうる大きさの円孔（図示せず。）が挿通して設けられ、該円孔にノブ２３の軸が挿通されている。板バネ１の他方端は、ケース２１の内壁にリベット止め又は熔接により固定されている。また、ケース２１の内壁には、板バネ１の外バネ部３ａ、３ｂの長手方向のほぼ中央部  が当接する位置に、２個のバネ支持部２９ａ，２９ｂ（２９ｂは図示せず。）が設けられている。該支持部２９ａ、ｂは、ケース２１のプレス加工時に内側に突出して設けられるが、所定の大きさの金属片を熔接して取り付けて設けることもできる。
【００３３】
支持板２５はケース２１内に縦方向に軸棒２６によって取付けられ、その施錠ノブ２３側先端には、該ノブ２３の軸が挿通して自由に動きうる大きさの円孔が設けられ、ノブ２３の軸が挿通される。支持板２５の解錠ノブ２４側は、該ノブ２４の先端と当接しているが、該先端には連結せずフリー状態にある。支持板２５は１枚の平坦な板状に形成されたものでもよいが、解錠ノブ２４の先端の形状を受けて曲折して形成されていてもよい。
【００３４】
施錠ノブ２３の軸は、支持板２５と板バネ１に設けた孔に挿通して両部材を保持しているが、その保持は、該軸の中程に間隔を空けて該軸を１周する２個の溝を設け、該溝の各々にＣリング２８ａ、２８ｂを嵌め込み、該Ｃリング２８ａ、２８ｂの間にて上記支持板２５と板バネ１を挟持している。また、解錠ノブ２４の軸のケース内側の所定位置にも、該軸を１周する１個の溝を設け、該溝にＣリング２８ｃを嵌め込んで取付けて解錠ノブ２４がケース２１から抜け落ちないようにしている。
【００３５】
上記のように打掛け金具２０を構成することにより、施錠及び解錠時のノブの動きに対し、図６に示すようにＣリング２８ａと２８ｂの間に挟持された板バネ１と支持板２５が、施錠時［図６（ａ）］には、施錠ノブ２３を左に押すと、施錠方向に板バネ１が働き、更にそれを支持板２５が支える。また、解錠時［図６（ｂ）］には、解錠ノブ２４を押すと、施錠ノブ２３が右に移動すると同時に、板バネ１が反転して働いて解錠される。上記支持板２５は、板バネ１をバネ支持部２９ａ、２９ｂに押し当てて反発力の反転を促進させて施錠又は解錠への動きを素早く進める働きをすると共に、板バネ１を支持して施錠又は解錠状態を確実に保持する働きをしている。
【発明の効果】
【００３６】
本発明は、板状のバネ材に２個の長方形状の切り込みを平行に設けて該２個の長方形状の切り込みの各々を挟んで形成された３個のバネ部のうち、外側に位置する２個の外バネ部の長さを内側に位置する中バネ部より長く形成してなることにより、強いバネ力が得られると共に、外バネ部の２個の支点で支えられていることで、反発力が高い安定したバネ力の板バネが得られ、長年月使用してもバネ力が変化することがない板バネが得られるという効果が得られる。
【００３７】
本発明は、上記内側に位置する中バネ部の長手方向に沿って、長手方向に直角に短手方向の全長を曲折して形成された凹部を複数個設けてなることにより、外バネ部より短い中バネ加工が簡単に有利に行え、２個の外バネ部間のバネ力に偏りがなく、安定した強力な板バネが得られるという効果が得られる。
【００３８】
本発明のアルミサッシ用補助錠及び打掛け金具に上記板バネを用いることで、強力な板バネの反発力と安定したバネ力によって、上記補助錠の起伏板の起立及び打掛け金具の施錠が、強固で長年月変化なく得られ、防犯に安心して用い得ると言う効果が得られる。
【図面の簡単な説明】
【図１】本発明の板バネの１実施例を示す斜視図である。
【図２】図１の板バネを用いたアルミサッシ用補助錠の１実施例を示す斜視図である。
【図３】図２のアルミサッシ用補助錠にて図１の板バネを使用している状態を示す分解斜視図である。
【図４】本発明の板バネの他の実施例を示す斜視図である。
【図５】本発明の板バネを打掛け金具に用いた場合を示す斜視図である。
【図６】（ａ）図５の打掛け金具の施錠後の構造を示す透視断面図である。
（ｂ）図５の打掛け金具の解錠後の構造を示す透視断面図である。
【符号の説明】
１              板バネ
２ａ、２ｂ      切り込み
３ａ、３ｂ      外バネ部
４              中バネ部
５              凹部
１０            アルミサッシ用補助錠
１１            基板
１２            起伏板
２０            打掛け金具
２１            ケース１
２２            ケース２
２３            施錠ノブ
２４            解錠ノブ
【図１】
2004347000.tif 000003
【図２】
2004347000.tif 000004
【図３】
2004347000.tif 000005
【図４】
2004347000.tif 000006
【図５】
2004347000.tif 000007
【図６】
2004347000.tif 000008